(57)【要約】      （修正有）【課題】雪庇を、簡単な器具を用いて随時除去可能とする雪庇の除去具を提供する。【解決手段】無底無蓋の筒状の除去具本体１１と、この除去具本体１１に固定した柄部１６とからなり、除去具本体１１は、先端部または基端部のうち少なくともいずれか一方に傾斜端縁部１２を備え、この傾斜端縁部１２は、柄部１６を固定した側から対向面に向かって除去具本体１１の長手寸法が漸次縮小するよう設ける。作業者が柄部１６の基端部をもって、柄部１６の先端にある除去具本体１１を雪庇Ｓに差し込んで雪庇Ｓをくり抜きながら除去する。傾斜端縁部１２を設けてあるので、除去具本体１１がパラペットＰに引っかかりにくい。【選択図】図４
0003176798.tif 000002
【実用新案登録請求の範囲】
【請求項１】
無底無蓋の筒状の除去具本体と、
この除去具本体に固定した柄部とからなり、
前記除去具本体は、基端部に傾斜端縁部を備え、
この傾斜端縁部は、前記柄部を固定した側から対向面に向かって除去具本体の長手寸法が漸次縮小するよう設けることを特徴とする雪庇の除去具。
【請求項２】
除去具本体は、金属板を用いて成形し、
先端部と基端部に折返部またはカバー材を備えることを特徴とする請求項１記載の雪庇の除去具。
【請求項３】
除去具本体に、孔部を設けることを特徴とする請求項１または請求項２記載の雪庇の除去具。
【考案の詳細な説明】
【技術分野】
【０００１】
本考案は、雪庇を除去するための器具に関する。
【背景技術】
【０００２】
図５に示すように、低層階ビルディングや無落雪住宅のように、屋上の端縁部にパラペットＰを設けた場合やフラットな屋根（平屋根；陸屋根）には、冬季の積雪で屋根の端縁部に雪庇Ｓができる。雪庇Ｓは、降雪とともに成長し、大きな雪の塊となって屋根の端縁部から外側に突出し、重量が限界を超えると落下する。雪庇Ｓによる被害は少なくない。歩行中の人間に対する被害も起きるし、隣接する家屋の屋根や窓ガラスに損害を与える等である。
【０００３】
雪庇Ｓを防ぐための技術は、従来から提案されている。例えば、パラペットＰの端縁部に電熱線（発熱体）を配するもの（特許文献１）、パラペットＰに設けたワイヤをタイマによって上下駆動するもの（特許文献２）等である。しかしながら、電気的に駆動する雪庇防止装置は故障も発生しやすく、メンテナンスも必要になるため、実用上は種々の問題をもつ。このため、電気的な駆動を行わない雪庇防止構造体が提案されるようになった。例えば、特許文献３である。これは、屋根（木造平屋根）の端縁に金網材（ネット）を設けるものである。金網材は、雪の塊を切断して成長を阻止するので雪庇が出来ない。
【先行技術文献】
【特許文献】
【０００４】
【特許文献１】特開平１１−１５９０８８号
【特許文献２】特開２００２−２０６３５４号
【特許文献３】特開２００３−１６１０５３号
【考案の開示】
【考案が解決しようとする課題】
【０００５】
問題は、低層階住宅における雪庇防止策が普及しない点である。
寒冷降雪地において、学校や病院等の公共施設では、隣接住宅への配慮や人的災害を避けるために各種の雪庇防止装置を設けることが多い。
【０００６】
しかしながら、多くの個人住宅や低層階アパートでは、特別の雪庇防止策をとっていない。従来の雪庇防止装置は、いずれも少額とは云えない経済負担を要するからである。
【０００７】
そこで、本考案の目的は、個人住宅や低層階アパートにおいて発生する雪庇を、簡単な器具を用いて随時除去可能とすることにより、大きな経済的負担を伴わずに雪庇に起因する事故を防止可能とする点にある。
【課題を解決するための手段】
【０００８】
前記目的を達成するため、本考案に係る雪庇の除去具は、無底無蓋の筒状の除去具本体と、この除去具本体に固定した柄部とからなり、前記除去具本体は、基端部に傾斜端縁部を備え、この傾斜端縁部は、前記柄部を固定した側から対向面に向かって除去具本体の長手寸法が漸次縮小するよう設ける（請求項１）。
【０００９】
この雪庇の除去具は、地上に立った人が柄部の基端部をもって、柄部の先端にある除去具本体を操作しながら雪庇を除去する。雪庇は大きな雪の塊であるから、一度に全部を除去するのは危険である。そこで、筒状の除去具本体を雪庇に差し込んで、当該筒状体（除去具本体）の中に入った雪を地上に滑落させ、徐々に雪の量を少なくしてゆく。こうすれば、雪庇が大きく成長したときでも確実に雪の量を減らしてゆけるので、地上から安全に雪庇を取り除くことが出来る。雪の量が減れば、雪庇を完全に取り除かなくても、大きな損害を惹起するような事故は防ぐことができる。
【００１０】
除去具本体の基端部に傾斜端縁部を設けた場合は、除去具本体の基端部がパラペットに引っかかりにくくなり操作がしやすい。
【００１１】
除去具本体は、金属板を用いて成形し、先端部と基端部に折返部またはカバー材を備える場合がある（請求項２）。
【００１２】
金属板を使用する場合は、平板を湾曲加工または折曲加工させて除去具本体を成形した場合に、先端部と基端部に平板金属板の切断面があらわれ、皮膚を傷つける可能性がある。除去具本体の先端部と基端部に、金属板の折返部を設けるかカバー材を設けることによって、鋭利な金属端縁による利用者の皮膚を守ることが出来る。
【００１３】
除去具本体に、孔部を設ける場合がある（請求項３）。
【００１４】
除去具本体は樹脂、金属、木によって成形できるが、重量が嵩むと柄部をもっての操作がしにくい。除去具本体の材質は、価格、安全性、軽量性などを考慮して選択するが、孔部を設けることにより、筒状体である除去具本体の重量を確実に軽減でき、材質選択の幅や経済性を高めることが出来る。
【考案の効果】
【００１５】
本考案に係る雪庇の除去具によれば、個人住宅や低層階アパートにおいて発生する雪庇を随時除去でき、大きな経済的負担を伴わずに雪庇に起因する事故を防止することが出来る。
【図面の簡単な説明】
【００１６】
【図１】実施形態に係る雪庇の除去具を例示する斜視図である。
【図２】図１に示す除去具を雪庇に差し込んだ状態を示す図である。
【図３】図２の状態から氷雪塊が下方へ滑る状態を示す図である。
【図４】図１の除去具の作用を示す図である。
【図５】雪庇を例示する図である。
【考案を実施するための形態】
【００１７】
図１は、実施形態に係る雪庇の除去具を示すものである。この除去具１０は、除去具本体１１と、この除去具本体１１に固定した柄部１６とからなる。
【００１８】
除去具本体１１は、例えば、樹脂または金属によって成形する。樹脂を用いる場合は、例えば肉厚１〜８ｍｍ程度の樹脂板を湾曲させて筒状に成形する。樹脂は軽量であり成形もしやすい。低温条件下で使用するので、強度を保証するため肉厚は若干大きくしておくことが望ましい。ポリカーボネートのように、エンジニアリングプラスチックの中でも平均して高い物性を示す樹脂を用いる場合は、肉厚を薄くしても、例えば肉厚１〜２ｍｍとした場合も実用に耐える。
【００１９】
金属を使用する場合は、例えば肉厚０．４〜５ｍｍ程度の金属板を湾曲させて筒状に成形する。金属板として例えばステンレス板を用いる場合は、肉厚０．４〜１ｍｍでも耐久性を保つ。端縁が鋭利になることを避けるため、金属を使用する場合は、先端部と基端部を折り返し成形し、利用者の皮膚を傷つけないようにすることが望ましい。折り返し成形しない場合は、先端部と基端部合成ゴム等で成形したカバー材を設け、鋭利な端縁を被覆することが出来る。
【００２０】
除去具本体１１の基端部には、傾斜端縁部１２を設ける。この傾斜端縁部１２は、柄部１６を固定した側から対向面に向かって除去具本体１１の長手寸法が漸次縮小するよう設けるものである。外見上は斜めに切り欠いたような形状を呈するが、樹脂板または金属板を予め切削（切除）して円筒形に巻き成形すれば、傾斜端縁部１２を形成することが出来る。円筒形に成形した後、斜めに切断加工しても良いことは勿論である。
【００２１】
除去具本体１１の外表面および内表面は平滑とする。凹凸を設けない方が氷雪に突き刺さりやすくなるからである。但し、除去具本体１１の重量を軽減するため孔部を設けてもよい。孔部は、例えば小さな丸孔、細い長孔（スリット）等、適宜の形状にすることが出来る。孔部は重量軽減のために設けるが、氷雪の滑り落下を妨げないような大きさに設定する。
【００２２】
柄部１６は、その一端部（先端部）を除去具本体１１にしっかりと固定する。例えば複数点においてネジ止めすることにより固定する。他の手段、例えば溶着、接着、溶接等によって固定しても良い。
【００２３】
柄部１６は、強度をもった軽量材を用いることが望ましい。例えば、樹脂製中空材、アルミニウム中空材、軽量木材である。柄部１６は、作業する人が腕を伸ばしたときに除去具本体１１が雪庇に達する長さに設定する。ハシゴを使う場合もあるので、例えば１〜２ｍの長さとすることが出来る。単純な棒材または角材でも良いが、いわゆるテレスコープ型の伸縮自在な構成としても良い。
【００２４】
かかる除去具１０によれば、図２に示すように、雪庇Ｓに除去具本体１１を差し込んだときに、雪庇Ｓの氷雪塊Ｓ２が除去具本体１１の内部に入って周囲の雪庇Ｓから分離される。雪庇Ｓの氷雪塊Ｓ２は多量の空気を含んでいるので、除去具本体１１を動かすと、図３に示すように、氷雪塊Ｓ２は除去具本体１１の中で僅かに小さくなり、外周に隙間Ｑが出来て、図４に示すように自然と下方に滑落する。図４において符号Ｐはパラペット、Ｋは笠木である。
【００２５】
こうして雪庇Ｓに除去具本体１１を差し込んで何度も氷雪塊Ｓ２を落としていくと、徐々に雪庇Ｓの量が減少してゆくので、全部の雪庇Ｓを除去することも出来るし、除去具本体１１によって雪庇Ｓに外側から衝撃を与えることで、残余の雪庇Ｓを一気に落下させることも出来る。
【００２６】
除去具本体１１の基端部に傾斜端縁部１２を設けてあるので、除去具本体１１の基端部がパラペットＰの角部に当接しても、引っかかることがない。傾斜端縁部１２によって除去具本体１１が傾斜方向に滑り落ちるからである。このため、パラペットＰから外方に突出して成長した雪庇Ｓを、地上からの容易な作業によって除去してゆくことが可能となる。
【００２７】
本考案に係る雪庇の除去具１０は、前記実施形態のものに限定されない。例えば、除去具本体１１は円筒形に成形する旨説明したが、機能上は断面円形である必要はなく、断面略四角形、五角形等の多角形であっても構わない。先端部から基端筒にかけて内径が略同一の筒状体であれば、除去具本体１１は雪庇Ｓを容易に除去することが出来る。除去具本体１１の先端部にも傾斜端縁部を設けてもよい。除去具本体１１を金属板を用いて成形するときは適宜の防錆処理を施すことが望ましい。
【符号の説明】
【００２８】
１０  除去具
１１  除去具本体
１２  傾斜端縁部
１６  柄部
Ｋ  笠木
Ｐ  パラペット
Ｓ  雪庇
Ｓ２  氷雪塊
Q  隙間
【図１】
0003176798.tif 000003
【図２】
0003176798.tif 000004
【図３】
0003176798.tif 000005
【図４】
0003176798.tif 000006
【図５】
0003176798.tif 000007